(57)【要約】【課題】本発明は水晶空中フライト椅子のおもちゃを開示した。【解決手段】水晶箱を含み、前記水晶箱の中には回転チャンバが設置され、前記回転チャンバの中には二つの水晶フライト椅子が設置され、前記回転チャンバの中にはまた前記水晶フライト椅子を回転させ、且つ上下に移動させることができる回転機構が設置され、前記押しブロックを下方へ押し、前記バネによって前記押しブロックを復帰させ、前記押しブロックが往復運動して前記推し動かしブロックを上下に移動連動させ、それによって前記移動ブロックと前記水晶フライト椅子とが上下に移動し、動力機構は水晶フライト椅子の回転に動力を提供し、水晶空中フライト椅子のおもちゃと使用者との間の交流を増加し、ぜんまいによって水晶フライト椅子が一定の速度で回転することができ、回転機構の中の押しブロックを押すと、水晶フライト椅子の上下への移動を制御できる。【選択図】図１
2020137994.tif 000002
【特許請求の範囲】
【請求項１】
正面視で、水晶箱を含み、前記水晶箱の中には回転チャンバが設置され、前記回転チャンバの中には二つの水晶フライト椅子が設置され、前記回転チャンバの中にはまた前記水晶フライト椅子を回転させ、且つ上下に移動させることができる回転機構が設置され、前記回転機構は前記回転チャンバの頂壁に回転できるように取り付けられる動力ロッドを含み、前記動力ロッドの左右両側には引っ掛かりブロックが固定的に取り付けられ、前記引っ掛かりブロックには移動ブロックがスライドできるように取り付けられ、前記移動ブロックの頂部端面の中には環状の推し動かし溝が形成されており、前記推し動かし溝の中には前記水晶箱の頂部端面を貫通した左右対称の推し動かしブロックがスライドできるように取り付けられ、前記推し動かしブロックの頂部端面には押しブロックが固定的に取り付けられ、前記押しブロックを押すことによって、前記水晶フライト椅子の上下への移動を制御し、前記動力ロッドは前記水晶フライト椅子の回転を制御し、前記回転チャンバの下方には水晶フライト椅子に動力を提供する動力機構が設置され、前記動力機構は前記回転チャンバの下方に設置された噛み合いチャンバを含み、前記噛み合いチャンバの前側には伝動チャンバが設置され、前記伝動チャンバの前側内壁には前記水晶箱の前側内壁を貫通した補助ロッドが回転できるように取り付けられ、前記補助ロッドの前側端面には揺れロッドが固定的に取り付けられ、前記水晶フライト椅子の回転にエネルギーを蓄積すれば、前記揺れロッドを回転させることを特徴とする水晶空中フライト椅子のおもちゃ。
【請求項２】
前記回転機構はまた前記押しブロックの底部端面と前記水晶箱の頂部端面との間に固定的に取り付けられたバネを含み、前記移動ブロックには移動溝が左右対称的に形成されており、前記移動溝の前後内壁の間には回転ロッドが回転できるように取り付けられ、前記回転ロッドには水晶チェーンが固定的に取り付けられ、前記水晶チェーンが前記水晶フライト椅子と固定的に連結され、前記水晶箱の中には環状のガラスが固定的に取り付けられ、
それによって使用者は遊ぶ時、前記押しブロックを下方へ押し、前記バネによって前記押しブロックを復帰させ、前記押しブロックが往復運動して前記推し動かしブロックを上下に移動連動させ、それによって前記移動ブロックと前記水晶フライト椅子とが上下に移動することを特徴とする請求項１に記載の水晶空中フライト椅子のおもちゃ。
【請求項３】
前記動力機構はまた前記補助ロッドの後側端面に固定的に取り付けられたギヤを含み、前記ギヤの前側端面には歯止めが固定的に取り付けられ、前記伝動チャンバの後側内壁の中には固定ロッドが回転できるように取り付けられ、前記固定ロッドの前側端面にはラチェット歯車が固定的に取り付けられ、前記歯止めは前記ラチェット歯車を引っ掛からせることができ、前記ラチェット歯車には環状のラチェット歯車溝が形成されており、前記伝動チャンバの前側にはぜんまいチャンバが設置され、前記ぜんまいチャンバと前記噛み合いチャンバとの間には連結ロッドが回転できるように取り付けられ、前記連結ロッドの前側端面にはぜんまいが固定的に取り付けられ、前記ぜんまいの後側端面と前記ぜんまいチャンバの後側内壁とが固定的に取り付けられ、前記連結ロッドのうち前記伝動チャンバの中に位置しているところには二つの位置制限ブロックが固定的に取り付けられ、前記連結ロッドと前記ラチェット歯車溝との間にはベルトが伝動できるように取り付けられ、前記連結ロッドの後側端面には第二ベベルギヤが固定的に取り付けられ、前記動力ロッドが下方へ伸びて前記噛み合いチャンバの頂壁を貫通し、前記動力ロッドの底部端面には第一ベベルギヤが固定的に取り付けられ、前記第一ベベルギヤが前記第二ベベルギヤと噛み合っており、
それによって前記揺れロッドを回転させて前記補助ロッドを回転連動させ、前記補助ロッドが回転して前記ギヤを回転連動させ、前記歯止めによって前記ラチェット歯車を回転連動させ、前記ベルトによって伝動して前記連結ロッドを回転連動させ、前記ぜんまいにエネルギーを蓄積し、且つ前記水晶フライト椅子を回転連動させ、前記ぜんまいがエネルギーを蓄積した後、前記ぜんまいが前記連結ロッドを回転連動させ、前記ラチェット歯車が前記ギヤを回転連動させなく、前記連結ロッドが回転して前記第二ベベルギヤを回転連動させ、前記第二ベベルギヤが前記第一ベベルギヤとの噛み合いによって再び前記水晶フライト椅子を回転させることを特徴とする請求項１に記載の水晶空中フライト椅子のおもちゃ。
【発明の詳細な説明】
【技術分野】
【０００１】
本発明は水晶おもちゃ分野に関わり、具体的には水晶空中フライト椅子のおもちゃである。
【背景技術】
【０００２】
普通の水晶空中フライト椅子のおもちゃはただの観賞する物であり、使用者との間の交流が欠け、一般の水晶空中フライト椅子のおもちゃは電気エネルギーを利用して動力を提供し、それによってフライト椅子が回転でき、しかし上下に移動することができない。
【先行技術文献】
【特許文献】
【０００３】
【特許文献１】中国特許出願公開第１０２９０８７８９号明細書
【発明の概要】
【発明が解決しようとする課題】
【０００４】
本発明は水晶空中フライト椅子のおもちゃを提供し、既存技術にある上記欠点を解消することを目的とする。
【課題を解決するための手段】
【０００５】
本発明の実施例の水晶空中フライト椅子のおもちゃは、水晶箱を含み、前記水晶箱の中には回転チャンバが設置され、前記回転チャンバの中には二つの水晶フライト椅子が設置され、前記回転チャンバの中にはまた前記水晶フライト椅子を回転させ、且つ上下に移動させることができる回転機構が設置され、前記回転機構は前記回転チャンバの頂壁に回転できるように取り付けられる動力ロッドを含み、前記動力ロッドの左右両側には引っ掛かりブロックが固定的に取り付けられ、前記引っ掛かりブロックには移動ブロックがスライドできるように取り付けられ、前記移動ブロックの頂部端面の中には環状の推し動かし溝が形成されており、前記推し動かし溝の中には前記水晶箱の頂部端面を貫通した左右対称の推し動かしブロックがスライドできるように取り付けられ、前記推し動かしブロックの頂部端面には押しブロックが固定的に取り付けられ、前記押しブロックを押すことによって、前記水晶フライト椅子の上下への移動を制御し、前記動力ロッドは前記水晶フライト椅子の回転を制御し、前記回転チャンバの下方には水晶フライト椅子に動力を提供する動力機構が設置され、前記動力機構は前記回転チャンバの下方に設置された噛み合いチャンバを含み、前記噛み合いチャンバの前側には伝動チャンバが設置され、前記伝動チャンバの前側内壁には前記水晶箱の前側内壁を貫通した補助ロッドが回転できるように取り付けられ、前記補助ロッドの前側端面には揺れロッドが固定的に取り付けられ、前記水晶フライト椅子の回転にエネルギーを蓄積すれば、前記揺れロッドを回転させる。
【０００６】
さらなる技術プランには、前記回転機構はまた前記押しブロックの底部端面と前記水晶箱の頂部端面との間に固定的に取り付けられたバネを含み、前記移動ブロックには移動溝が左右対称的に形成されており、前記移動溝の前後内壁の間には回転ロッドが回転できるように取り付けられ、前記回転ロッドには水晶チェーンが固定的に取り付けられ、前記水晶チェーンが前記水晶フライト椅子と固定的に連結され、前記水晶箱の中には環状のガラスが固定的に取り付けられた。
【０００７】
さらなる技術プランには、前記動力機構はまた前記補助ロッドの後側端面に固定的に取り付けられたギヤを含み、前記ギヤの前側端面には歯止めが固定的に取り付けられ、前記伝動チャンバの後側内壁の中には固定ロッドが回転できるように取り付けられ、前記固定ロッドの前側端面にはラチェット歯車が固定的に取り付けられ、前記歯止めは前記ラチェット歯車を引っ掛からせることができ、前記ラチェット歯車には環状のラチェット歯車溝が形成されており、前記伝動チャンバの前側にはぜんまいチャンバが設置され、前記ぜんまいチャンバと前記噛み合いチャンバとの間には連結ロッドが回転できるように取り付けられ、前記連結ロッドの前側端面にはぜんまいが固定的に取り付けられ、前記ぜんまいの後側端面と前記ぜんまいチャンバの後側内壁とが固定的に取り付けられ、前記連結ロッドのうち前記伝動チャンバの中に位置しているところには二つの位置制限ブロックが固定的に取り付けられ、前記連結ロッドと前記ラチェット歯車溝との間にはベルトが伝動できるように取り付けられ、前記連結ロッドの後側端面には第二ベベルギヤが固定的に取り付けられ、前記動力ロッドが下方へ伸びて前記噛み合いチャンバの頂壁を貫通し、前記動力ロッドの底部端面には第一ベベルギヤが固定的に取り付けられ、前記第一ベベルギヤが前記第二ベベルギヤと噛み合っている。
【発明の効果】
【０００８】
本発明の有益な効果は：本発明の動力機構は水晶フライト椅子の回転に動力を提供し、水晶空中フライト椅子のおもちゃと使用者との間の交流を増加し、ぜんまいによって水晶フライト椅子が一定の速度で回転することができ、回転機構の中の押しブロックを押すと、水晶フライト椅子の上下への移動を制御でき、普及する価値がある。
【図面の簡単な説明】
【０００９】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の構成概略図
【図２】図２は図１の中のＡ―Ａ方向の断面構成概略図
【図３】図３は図２の中のＢ―Ｂ方向の断面構成概略図
【発明を実施するための形態】
【００１１】
図１〜３を参照し、本発明の実施例の水晶空中フライト椅子のおもちゃは、水晶箱１１を含み、前記水晶箱１１の中には回転チャンバ１３が設置され、前記回転チャンバ１３の中には二つの水晶フライト椅子１６が設置され、前記回転チャンバ１３の中にはまた前記水晶フライト椅子１６を回転させ、且つ上下に移動させることができる回転機構８０が設置され、前記回転機構８０は前記回転チャンバ１３の頂壁に回転できるように取り付けられる動力ロッド１８を含み、前記動力ロッド１８の左右両側には引っ掛かりブロック２７が固定的に取り付けられ、前記引っ掛かりブロック２７には移動ブロック２５がスライドできるように取り付けられ、前記移動ブロック２５の頂部端面の中には環状の推し動かし溝２６が形成されており、前記推し動かし溝２６の中には前記水晶箱１１の頂部端面を貫通した左右対称の推し動かしブロック３１がスライドできるように取り付けられ、前記推し動かしブロック３１の頂部端面には押しブロック３０が固定的に取り付けられ、前記押しブロック３０を押すことによって、前記水晶フライト椅子１６の上下への移動を制御し、前記動力ロッド１８は前記水晶フライト椅子１６の回転を制御し、前記回転チャンバ１３の下方には水晶フライト椅子１６に動力を提供する動力機構９０が設置され、前記動力機構９０は前記回転チャンバ１３の下方に設置された噛み合いチャンバ１９を含み、前記噛み合いチャンバ１９の前側には伝動チャンバ３５が設置され、前記伝動チャンバ３５の前側内壁には前記水晶箱１１の前側内壁を貫通した補助ロッド３６が回転できるように取り付けられ、前記補助ロッド３６の前側端面には揺れロッド３７が固定的に取り付けられ、前記水晶フライト椅子１６の回転にエネルギーを蓄積すれば、前記揺れロッド３７を回転させる。
【００１２】
前記回転機構８０はまた前記押しブロック３０の底部端面と前記水晶箱１１の頂部端面との間に固定的に取り付けられたバネ２９を含み、前記移動ブロック２５には移動溝１２が左右対称的に形成されており、前記移動溝１２の前後内壁の間には回転ロッド３２が回転できるように取り付けられ、前記回転ロッド３２には水晶チェーン１５が固定的に取り付けられ、前記水晶チェーン１５が前記水晶フライト椅子１６と固定的に連結され、前記水晶箱１１の中には環状のガラス１４が固定的に取り付けられ、
それによって使用者は遊ぶ時、押しブロック３０を下方へ押し、バネ２９によって押しブロック３０を復帰させ、押しブロック３０が往復運動して推し動かしブロック３１を上下に移動連動させ、それによって移動ブロック２５と水晶フライト椅子１６とが上下に移動する。
【００１３】
前記動力機構９０はまた前記補助ロッド３６の後側端面に固定的に取り付けられたギヤ４５を含み、前記ギヤ４５の前側端面には歯止め１４が固定的に取り付けられ、前記伝動チャンバ３５の後側内壁の中には固定ロッド４３が回転できるように取り付けられ、前記固定ロッド４３の前側端面にはラチェット歯車３４が固定的に取り付けられ、前記歯止め４４は前記ラチェット歯車３４を引っ掛からせることができ、前記ラチェット歯車３４には環状のラチェット歯車溝３３が形成されており、前記伝動チャンバ３５の前側にはぜんまいチャンバ３９が設置され、前記ぜんまいチャンバ３９と前記噛み合いチャンバ１９との間には連結ロッド２１が回転できるように取り付けられ、前記連結ロッド２１の前側端面にはぜんまい３８が固定的に取り付けられ、前記ぜんまい３８の後側端面と前記ぜんまいチャンバ３９の後側内壁とが固定的に取り付けられ、前記連結ロッド２１のうち前記伝動チャンバ３５の中に位置しているところには二つの位置制限ブロック４１が固定的に取り付けられ、前記連結ロッド２１と前記ラチェット歯車溝３３との間にはベルト４２が伝動できるように取り付けられ、前記連結ロッド２１の後側端面には第二ベベルギヤ２０が固定的に取り付けられ、前記動力ロッド１８が下方へ伸びて前記噛み合いチャンバ１９の頂壁を貫通し、前記動力ロッド１８の底部端面には第一ベベルギヤ２２が固定的に取り付けられ、前記第一ベベルギヤ２２が前記第二ベベルギヤ２０と噛み合っており、
それによって揺れロッド３７を回転させて補助ロッド３６を回転連動させ、補助ロッド３６が回転してギヤ４５を回転連動させ、歯止め４４によってラチェット歯車３４を回転連動させ、ベルト４２によって伝動して連結ロッド２１を回転連動させ、ぜんまい３８にエネルギーを蓄積し、且つ水晶フライト椅子１６を回転連動させ、ぜんまい３８がエネルギーを蓄積した後、ぜんまい３８が連結ロッド２１を回転連動させ、ラチェット歯車３４がギヤ４５を回転連動させなく、連結ロッド２１が回転して第二ベベルギヤ２０を回転連動させ、第二ベベルギヤ２０が第一ベベルギヤ２２との噛み合いによって再び水晶フライト椅子１６を回転させる。
【００１４】
使用の時、押しブロック３０を下方へ押し、バネ２９によって押しブロック３０を復帰させ、押しブロック３０が往復運動して推し動かしブロック３１を上下に移動連動させ、それによって移動ブロック２５と水晶フライト椅子１６とが上下に移動し、揺れロッド３７を回転させて補助ロッド３６を回転連動させ、補助ロッド３６が回転してギヤ４５を回転連動させ、歯止め４４によってラチェット歯車３４を回転連動させ、ベルト４２によって伝動して連結ロッド２１を回転連動させ、ぜんまい３８にエネルギーを蓄積し、且つ水晶フライト椅子１６を回転連動させ、ぜんまい３８がエネルギーを蓄積した後、ぜんまい３８が連結ロッド２１を回転連動させ、ラチェット歯車３４がギヤ４５を回転連動させなく、連結ロッド２１が回転して第二ベベルギヤ２０を回転連動させ、第二ベベルギヤ２０が第一ベベルギヤ２２との噛み合いによって再び水晶フライト椅子１６を回転させる。
【００１５】
本発明の有益な効果は：本発明の動力機構は水晶フライト椅子の回転に動力を提供し、水晶空中フライト椅子のおもちゃと使用者との間の交流を増加し、ぜんまいによって水晶フライト椅子が一定の速度で回転することができ、回転機構の中の押しブロックを押すと、水晶フライト椅子の上下への移動を制御でき、普及する価値がある。
【００１６】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020137994.tif 000003
【図２】
2020137994.tif 000004
【図３】
2020137994.tif 000005